(57)【要約】  オープン・マーケット・ハンドセット（ＯＭＨ）における下位互換性を可能にするための方法および装置が提供されている。前記方法は、アイデンティティ・モジュールの１つ以上の内部パラメータに基づいてアイデンティティ・モジュールのタイプを決定することと、前記決定された前記タイプのアイデンティティ・モジュールの少なくとも一部に基づいて１つ以上のクレデンシャルを得ることを含むことができる。
2013533664.tif 000002
【特許請求の範囲】
【請求項１】
アイデンティティ・モジュールの１つ以上の内部パラメータに基づいて前記アイデンティティ・モジュールのタイプを決定することと、
前記決定された前記タイプのアイデンティティ・モジュールの少なくとも一部に基づいて１つ以上のクレデンシャルを得ること、
を含む、デバイスのための通信の方法。
【請求項２】
前記アイデンティティ・モジュールにおける変更を検出することと、ここにおいて、前記変更は、前記デバイスに新しいアイデンティティ・モジュールの追加、または前記デバイスにおける前記アイデンティティ・モジュールの前記タイプを変更すること、のいずれかである、
前記１つ以上の内部パラメータおよび前記１つ以上の得られたクレデンシャルを使用して前記デバイスを可能にすること、
をさらに含む、請求項１に記載の方法。
【請求項３】
前記１つ以上の内部パラメータは、サービスの状態、または構成パラメータのうちの少なくとも１つを含む、請求項１に記載の方法。
【請求項４】
前記１つ以上のクレデンシャルは、オープン・マーケット・ハンドセット（ＯＭＨ）のクレデンシャル、または３Ｇパケット・データ（３ＧＰＤ）のクレデンシャルのうちの少なくとも１つを含む、請求項１に記載の方法。
【請求項５】
前記アイデンティティ・モジュールは、モバイル国コード（ＭＣＣ）およびモバイル・ネットワーク・コード（ＭＮＣ）を含む、ここにおいて、前記得ることは、前記１つ以上のクレデンシャルを決定するために前記ＭＣＣおよびＭＮＣを使用することをさらに含む、請求項１に記載の方法。
【請求項６】
前記得ることは、
前記１つ以上のクレデンシャルが前記デバイスの不揮発性（ＮＶ）メモリに記憶されていると決定することと、
前記デバイスの前記ＮＶメモリに記憶された前記１つ以上のクレデンシャルにアクセスすること、
をさらに含む、請求項１に記載の方法。
【請求項７】
前記得ることは、
１つ以上のプロビジョニング・パラメータまたは前記１つ以上のクレデンシャルのうちの少なくとも１つがサーバから利用可能であると決定することと、
前記サーバから前記１つ以上のプロビジョニング・パラメータまたは前記１つ以上のクレデンシャルのうちの前記少なくとも１つにアクセスすること、
をさらに含む、請求項１に記載の方法。
【請求項８】
前記得ることは、前記アイデンティティ・モジュールの前記１つ以上の内部パラメータに基づいてアプリケーションのための動的プロファイルを得ることをさらに含む、ここにおいて、前記動的プロファイルは、前記１つ以上の内部パラメータと異なる１つ以上のパラメータを含む、請求項１に記載の方法。
【請求項９】
前記アイデンティティ・モジュールおよび前記得られた１つ以上のクレデンシャルのうちの前記１つ以上の内部パラメータに基づいて仮想認識モジュールを生成することをさらに含む、請求項１に記載の方法。
【請求項１０】
前記アイデンティティ・モジュールは、前記デバイスに接続されていたことを検出することと、
前記アイデンティティ・モジュールの前記タイプは、レガシー・アイデンティティ・モジュールであることを決定すること、
をさらに含む、請求項１に記載の方法。
【請求項１１】
前記アイデンティティ・モジュールは、リムーバブル・ユーザ識別モジュール（ＲＵＩＭ）、または、ＣＤＭＡ加入者アイデンティティ・モジュール（ＣＳＩＭ）、のいずれかを含む、ここにおいて、レガシー・アイデンティティ・モジュールは、Ｃ．Ｓ００２３−Ｄ規格との互換性がないＲＵＩＭ、またはＣ．Ｓ００６５−Ａ規格との互換性がないＣＳＩＭを含む、請求項１０に記載の方法。
【請求項１２】
前記１つ以上の内部パラメータは、
ＲＵＩＭのＣＳＴテーブルにおけるｎ１５エレメント、
ＣＳＩＭのＣＳＴテーブルにおけるｎ３５エレメント、または
ＥＦ＿ＳＩＰＵＰＰｅｘｔエレメント、
のうちの少なくとも１つを含む、請求項１に記載の方法。
【請求項１３】
前記ＥＦ＿ＳＩＰＵＰＰｅｘｔエレメントが存在しない場合、または
前記ＥＦ＿ＳＩＰＵＰＰｅｘｔエレメントが適切に構成されない場合、
のうちの少なくとも１つの場合、前記ＥＦ＿ＳＩＰＵＰＰｅｘｔエレメントは、不完全であることを決定することをさらに含む、請求項１２に記載の方法。
【請求項１４】
アイデンティティ・モジュールの１つ以上の内部パラメータに基づいて前記アイデンティティ・モジュールのタイプを決定するための第１のモジュールと、
前記決定された前記タイプのアイデンティティ・モジュールの少なくとも一部に基づいて１つ以上のクレデンシャルを得るための第２のモジュールと、
を含む、下位互換性を提供するように構成される少なくとも１つのプロセッサ。
【請求項１５】
コンピュータに、アイデンティティ・モジュールの１つ以上の内部パラメータに基づいて前記アイデンティティ・モジュールのタイプを決定させるための第１のコードのセットと、
前記コンピュータに、前記決定された前記タイプのアイデンティティ・モジュールの少なくとも一部に基づいて１つ以上のクレデンシャルを得させるための第２のコードのセットと、
を含む、コンピュータ可読媒体
を含む、コンピュータ・プログラム製品。
【請求項１６】
アイデンティティ・モジュールの１つ以上の内部パラメータに基づいて前記アイデンティティ・モジュールのタイプを決定するための手段と、
前記決定された前記タイプのアイデンティティ・モジュールの少なくとも一部に基づいて１つ以上のクレデンシャルを得るための手段と、
を含む、装置。
【請求項１７】
前記アイデンティティ・モジュールにおける変更を検出するための手段と、ここにおいて、前記変更は、前記デバイスに新しいアイデンティティ・モジュールの追加、または、前記デバイスにおける前記アイデンティティ・モジュールの前記タイプを変更すること、のいずれかである、
前記１つ以上の内部パラメータおよび前記１つ以上の得られたクレデンシャルを使用して前記デバイスを可能にするための手段と、
をさらに含む、請求項１６に記載の装置。
【請求項１８】
前記１つ以上の内部パラメータは、サービスの状態、または構成パラメータのうちの少なくとも１つを含む、請求項１６に記載の装置。
【請求項１９】
前記１つ以上のクレデンシャルは、ＯＭＨクレデンシャル、または３Ｇパケット・データ（３ＧＰＤ）クレデンシャルのうちの少なくとも１つを含む、請求項１６に記載の装置。
【請求項２０】
前記アイデンティティ・モジュールは、モバイル国コード（ＭＣＣ）およびモバイル・ネットワーク・コード（ＭＮＣ）を含む、ここにおいて、前記得るための手段は、前記１つ以上のクレデンシャルを決定するために前記ＭＣＣおよびＭＮＣを使用することをさらに含む、請求項１６に記載の装置。
【請求項２１】
前記得るための手段は、
前記１つ以上のクレデンシャルが前記デバイスの不揮発性（ＮＶ）メモリに記憶されていると決定するための手段と、
前記デバイスの前記ＮＶメモリに記憶された前記１つ以上のクレデンシャルにアクセスするための手段と、
をさらに含む、請求項１６に記載の装置。
【請求項２２】
前記得るための手段は、
１つ以上のプロビジョニング・パラメータまたは前記１つ以上のクレデンシャルのうちの少なくとも１つがサーバから利用可能であると決定するための手段と、
前記サーバから前記１つ以上のプロビジョニング・パラメータまたは前記１つ以上のクレデンシャルのうちの前記少なくとも１つにアクセスするための手段と、
をさらに含む、請求項１６に記載の装置。
【請求項２３】
前記得るための手段は、前記アイデンティティ・モジュールの前記１つ以上の内部パラメータに基づいてアプリケーションのための動的プロファイルを得るための手段をさらに含む、ここにおいて、前記動的プロファイルは、前記１つ以上の内部パラメータと異なる１つ以上のパラメータを含む、請求項１６に記載の装置。
【請求項２４】
前記アイデンティティ・モジュールおよび前記得られた１つ以上のクレデンシャルのうちの前記１つ以上の内部パラメータに基づいて仮想認識モジュールを生成するための手段をさらに含む、請求項１６に記載の装置。
【請求項２５】
前記アイデンティティ・モジュールは、前記デバイスに接続されていたことを検出するための手段と、
前記アイデンティティ・モジュールの前記タイプは、レガシー・アイデンティティ・モジュールであることを決定するための手段と、
をさらに含む、請求項１６に記載の方法。
【請求項２６】
前記アイデンティティ・モジュールは、リムーバブル・ユーザ識別モジュール（ＲＵＩＭ）、または、ＣＤＭＡ加入者アイデンティティ・モジュール（ＣＳＩＭ）、のいずれかを含む、ここにおいて、レガシー・アイデンティティ・モジュールは、Ｃ．Ｓ００２３−Ｄ規格と互換性がないＲＵＩＭ、またはＣ．Ｓ００６５−Ａ規格と互換性がないＣＳＩＭを含む、請求項２５に記載の装置。
【請求項２７】
前記１つ以上の内部パラメータは、
ＲＵＩＭのＣＳＴテーブルにおけるｎ１５エレメント、
ＣＳＩＭのＣＳＴテーブルにおけるｎ３５エレメント、または
ＥＦ＿ＳＩＰＵＰＰｅｘｔエレメント、
のうちの少なくとも１つを含む、請求項１６に記載の装置。
【請求項２８】
前記ＥＦ＿ＳＩＰＵＰＰｅｘｔエレメントが存在しない場合、または
前記ＥＦ＿ＳＩＰＵＰＰｅｘｔエレメントが適切に構成されない場合、
のうちの少なくとも１つの場合、前記ＥＦ＿ＳＩＰＵＰＰｅｘｔエレメントは、不完全であることを決定するための手段をさらに含む、請求項２７に記載の装置。
【請求項２９】
アイデンティティ・モジュールの１つ以上の内部パラメータに基づいて前記アイデンティティ・モジュールのタイプを決定し、
前記決定された前記タイプのアイデンティティ・モジュールの少なくとも一部に基づいて１つ以上のクレデンシャルを得る、
ために動作可能な互換性モジュール
を含む、下位互換性を可能にするための装置。
【請求項３０】
前記互換性モジュールは、
前記アイデンティティ・モジュールにおける変更を検出し、ここにおいて、前記変更は、前記デバイスに新しいアイデンティティ・モジュールの追加、または、前記デバイスにおける前記アイデンティティ・モジュールの前記タイプを変更すること、のいずれかである、
前記１つ以上の内部パラメータおよび前記１つ以上の得られたクレデンシャルを使用して前記デバイスを可能にするためにさらに動作可能である、請求項２９に記載の装置。
【請求項３１】
前記１つ以上の内部パラメータは、サービスの状態、または構成パラメータのうちの少なくとも１つを含む、請求項２９に記載の装置。
【請求項３２】
前記１つ以上のクレデンシャルは、ＯＭＨクレデンシャル、または３Ｇパケット・データ（３ＧＰＤ）クレデンシャルのうちの少なくとも１つを含む、請求項２９に記載の装置。
【請求項３３】
前記アイデンティティ・モジュールは、モバイル国コード（ＭＣＣ）およびモバイル・ネットワーク・コード（ＭＮＣ）を含む、ここにおいて、前記互換性モジュールは、前記１つ以上のクレデンシャル決定するために前記ＭＣＣおよびＭＮＣを使用するためにさらに動作可能である、請求項２９に記載の装置。
【請求項３４】
前記互換性モジュールは、
前記１つ以上のクレデンシャルが前記デバイスの不揮発性（ＮＶ）メモリに記憶されていると決定し、
前記デバイスの前記ＮＶメモリに記憶された前記１つ以上のクレデンシャルにアクセスするためにさらに動作可能である、請求項２９に記載の装置。
【請求項３５】
前記互換性モジュールは、
前記１つ以上のプロビジョニング・パラメータまたは前記１つ以上のクレデンシャルのうちの少なくとも１つがサーバから利用可能であると決定し、
前記サーバから前記１つ以上のプロビジョニング・パラメータまたは前記１つ以上のクレデンシャルのうちの前記少なくとも１つにアクセスするためにさらに動作可能である、請求項２９に記載の装置。
【請求項３６】
前記互換性モジュールは、前記アイデンティティ・モジュールの前記１つ以上の内部パラメータに基づいてアプリケーションのための動的プロファイルを得るためにさらに動作可能である、ここにおいて、前記動的プロファイルは、前記１つ以上の内部パラメータと異なる１つ以上のパラメータを含む、請求項２９に記載の装置。
【請求項３７】
前記互換性モジュールは、前記アイデンティティ・モジュールおよび前記得られた１つ以上のクレデンシャルのうちの前記１つ以上の内部パラメータに基づいて仮想認識モジュールを生成するためにさらに動作可能である、請求項２９に記載の装置。
【請求項３８】
前記互換性モジュールは、
前記アイデンティティ・モジュールが前記デバイスに接続されていたことを検出し、
前記アイデンティティ・モジュールの前記タイプがレガシー・アイデンティティ・モジュールであることを決定するためにさらに動作可能である、請求項２９に記載の装置。
【請求項３９】
前記アイデンティティ・モジュールは、リムーバブル・ユーザ識別モジュール（ＲＵＩＭ）、または、ＣＤＭＡ加入者アイデンティティ・モジュール（ＣＳＩＭ）、のいずれかを含み、ここにおいて、レガシー・アイデンティティ・モジュールは、Ｃ．Ｓ００２３−Ｄ規格との互換性がないＲＵＩＭ、またはＣ．Ｓ００６５−Ａ規格との互換性がないＣＳＩＭを含む、請求項３８に記載の装置。
【請求項４０】
前記１つ以上の内部パラメータは、
ＲＵＩＭのＣＳＴテーブルにおけるｎ１５エレメント、
ＣＳＩＭのＣＳＴテーブルにおけるｎ３５エレメント、または
ＥＦ＿ＳＩＰＵＰＰｅｘｔエレメント、
のうちの少なくとも１つを含む、請求項２９に記載の装置。
【請求項４１】
前記互換性モジュールは、
前記ＥＦ＿ＳＩＰＵＰＰｅｘｔエレメントが存在しない場合、または
前記ＥＦ＿ＳＩＰＵＰＰｅｘｔエレメントが適切に構成されない場合、
のうちの少なくとも１つの場合、前記ＥＦ＿ＳＩＰＵＰＰｅｘｔエレメントは、不完全であることを決定するためにさらに動作可能である、請求項４０に記載の装置。
【発明の詳細な説明】
【関連出願に対する相互参照】
【０００１】
本特許出願は、２０１０年３月２０日に出願された、「旧ＲＵＩＭカードと下位互換性のあるオープン・マーケット・ハンドセット（Ｃ．Ｓ００２３−ＤまたはＣ．Ｓ００６５−Ｂコンプレイント（complaint））を作るための方法および装置」と題し、米国仮出願番号第６１／３４６、６２６号の優先権を主張し、その内容は、ここに参照により明確に組み込まれる。
【技術分野】
【０００２】
開示される態様は、一般に、デバイス間での通信に関し、具体的には、オープン・マーケット・ハンドセット（ＯＭＨ：open market handsets）における下位互換性（backward compatibility）を可能にするための方法およびシステムに関する。
【背景技術】
【０００３】
技術の進歩は、より小さい、より強力なパーソナル・コンピューティング・デバイスに帰着した。たとえば、それぞれ小型、軽量であり、ユーザによって容易に持ち運ばれることができる携帯型ワイヤレス電話、携帯用情報端末（ＰＤＡｓ）、およびページング・デバイスのような、ワイヤレス・コンピューティング・デバイスを含む、さまざまな携帯型パーソナル・コンピューティング・デバイスが現在存在している。より具体的に、たとえば、携帯型ワイヤレス電話は、ワイヤレス・ネットワークを介して音声およびデータ・パケット通信を行うことができるセルラー電話をさらに含む。さらに、そのような多くのセルラー電話は、コンピューティング能力において比較的大幅な増加で製造されており、そのようなものとして、小型のパーソナル・コンピュータおよびハンド・ヘルドＰＤＡｓと等しくなり始めている。
【０００４】
さらに、デバイスはＯＭＨｓとして構成されることができる。現在、ＯＭＨイニシアチブ（OMH initiative）は、オープン・マーケット・ハンドセットでＣＤＭＡエコシステム（CDMA ecosystem）を可能にすることを目指す戦略的取り組みである。３ＧＰＰ２は、２００９年６月１９日付のＣ．Ｓ００２３ Ｒｅｖ Ｄバージョン１．０（拡散スペクトル・システムのためのリムーバブル・ユーザ・アイデンティティ・モジュール（Removable User Identity Module for Spread Spectrum Systems））と、２０１０年１月２５日付のＣ．Ｓ００６５ Ｒｅｖ Ｂバージョン１．０「拡散スペクトル・システムのためのＵＩＣＣでのｃｄｍａ２０００アプリケーション」の２つの許可された規格を有する。規格によると、すべてのＣＤＭＡエコシステムの変数および特徴は、ＯＭＨ／ＣＤＭＡ ＳＩＭ（ＣＳＩＭ）カードにおける基礎ファイル（Elementary Files）によって表現されることができる。各基礎ファイルは、それ自身の規格化された構造を有し、或る量のカード・メモリを占有する。さらに、Ｃ．Ｓ００２３対応のＲＵＩＭカードは、リムーバブル・ユーザ・アイデンティティ・モジュール（ＲＵＩＭ）カードによって異なるサービスの支援性を示すことができるマスタＥＦファイル（ＥＦ−ＣＳＴ：ＣＤＭＡサービス・テーブル（Service Table））を有することができる。さらに、ＯＭＨイニシアチブは、Ｃ．Ｓ００２３規格の新しい改訂版（revision）（すなわち、Ｒｅｖ Ｄ）を導入した。しかしながら、いくつかのオペレータは、未だＣ．Ｓ００２３Ｒｅｖ ０およびＲｅｖ Ｂカードに基づいたサービスを提供する。
【０００５】
従って、ＯＭＨｓにおける下位互換性を可能にするための改善された装置および方法が所望され得る。
【発明の概要】
【０００６】
下記は、そのような態様の基本認識を提供するために、１つ以上の態様の簡略化された要約を提示するものである。この要約は、すべての意図された態様の広範な概要ではなく、すべての態様のキーまたは重要なエレメントを特定するものでも、任意のまたはすべての態様の範囲を詳細に述べるものでもない。その唯一の目的は、後に提示される、より詳細な説明への前置きとして、簡略化された形態で１つ以上の態様のいくつかの概念を提示することである。
【０００７】
１つ以上の態様およびその対応する開示に従って、さまざまな態様は、ＯＭＨｓにおける下位互換性を可能にすることに関連して説明されている。一態様によると、ＯＭＨｓにおける下位互換性を可能にするための方法が提供される。前記方法は、アイデンティティ・モジュールの１つ以上の内部パラメータに基づいてアイデンティティ・モジュールのタイプを決定することを含むことができる。さらに、前記方法は、決定されたタイプのアイデンティティ・モジュールの少なくとも一部に基づいて１つ以上のプロビジョニング・パラメータ（provisioning parameters）および／または１つ以上のクレデンシャル（credentials）を得ることを含むことができる。
【０００８】
別の態様は、ＯＭＨｓにおける下位互換性を可能にするように構成される少なくとも１つのプロセッサに関する。前記少なくとも１つのプロセッサは、アイデンティティ・モジュールの１つ以上の内部パラメータに基づいてアイデンティティ・モジュールのタイプを決定するための第１のモジュールを含む。さらに、前記少なくとも１つのプロセッサは、決定されたタイプのアイデンティティ・モジュールの少なくとも一部に基づいて１つ以上のプロビジョニング・パラメータおよび／または１つ以上のクレデンシャルを得るための第２のモジュールを含む。
【０００９】
別の態様は、コンピュータ可読媒体を含むコンピュータ・プログラム製品に関する。前記コンピュータ可読媒体は、アイデンティティ・モジュールの１つ以上の内部パラメータに基づいてアイデンティティ・モジュールのタイプを決定するように実行可能なコードを含む。さらに、前記コンピュータ可読媒体は、決定されたタイプのアイデンティティ・モジュールの少なくとも一部に基づいて１つ以上のプロビジョニング・パラメータおよび／または１つ以上のクレデンシャルを得るように実行可能なコードを含む。
【００１０】
また、別の態様は装置に関する。前記装置は、アイデンティティ・モジュールの１つ以上の内部パラメータに基づいてアイデンティティ・モジュールのタイプを決定するための手段を含むことができる。さらに、前記装置は、決定されたタイプのアイデンティティ・モジュールの少なくとも一部に基づいて１つ以上のプロビジョニング・パラメータおよび／または１つ以上のクレデンシャルを得るための手段を含むことができる。
【００１１】
別の態様は、装置に関する。前記装置は、アイデンティティ・モジュールの１つ以上の内部パラメータに基づいてアイデンティティ・モジュールのタイプを決定するように動作可能な互換性モジュールを含むことができる。さらに、前記互換性モジュールは、決定されたタイプのアイデンティティ・モジュールの少なくとも一部に基づいて１つ以上のプロビジョニング・パラメータおよび／または１つ以上のクレデンシャルを得るように動作可能であることができる。
【００１２】
前述のおよび関連する目的の達成のために、１つ以上の態様は、以下に十分に説明され、特に請求項において指摘されている特徴を含む。下記の説明および付属の図面は、１つ以上の態様の或る例示的な特徴を詳細に説明する。しかしながら、これらの特徴は、さまざまな態様の原理が用いられることができるさまざまな手法のうちのごく一部しか示しておらず、説明は、そのようなすべての態様およびそれらの同等のものを含むように意図される。
【図面の簡単な説明】
【００１３】
開示された態様は、以下において、同一符号が同一エレメントを示す添付図面と連携して説明され、開示された態様を限定することなく例示するために提供される。
【図１】図１は、一態様に従って、通信ネットワークのブロック図を示す。
【図２】図２は、一態様に従って、ＯＭＨにおける下位互換性を可能にするためのシステム例を説明するフローチャートを示す。
【図３】図３は、一態様に従って、ＯＭＨにおける下位互換性を可能にするための別のシステム例を説明するフローチャートを示す。
【図４】図４は、一態様に従って、ＯＭＨの動作性を容易にするためのシステム例を説明するフローチャートを示す。
【図５】図５は、通信デバイスのブロック図のアーキテクチャ例を示す。
【図６】図６は、一態様に従って、互換性システムのブロック図の例を示す。
【図７】図７は、別の態様に従って、ＯＭＨの下位互換性を可能にすることができる通信システム例のブロック図を示す。
【詳細な説明】
【００１４】
さまざまな態様が、図面を参照して記載されている。下記の記述において、説明の目的のために、多くの具体的な詳細が１つ以上の態様の完全な理解を提供するために述べられる。しかしながら、そのような（単数または複数の）態様は、これら具体的な詳細無しで実現されることができるということは明確であり得る。
【００１５】
一般に、ユーザは、通信デバイス１１０を通してアクセス・ネットワークおよび／またはコア・ネットワーク１２５との通信をしようと試みることができる。さらに、通信デバイス１１０は、通信デバイス１１０に関連付けられたモジュールおよび／またはアプリケーションのための下位互換性を可能にするように互換性サーバ１３０を調整することができる。一態様において、通信デバイス１１０は、ワイヤレス通信デバイス（ＷＣＤ）、および／またはワイヤラインとワイヤレスの両方の複数のデバイスを含むことができる。たとえば、複数のデバイスは、ネットワーク等として連携して動作することができる。
【００１６】
図１を参照して、一態様に従って通信ネットワーク１００のブロック図が示される。通信ネットワーク１００は、アクセス・ネットワークおよび／またはコア・ネットワーク１２５（たとえば、ＣＤＭＡネットワーク、ＧＰＲＳネットワーク、ＵＭＴＳネットワーク、および他のタイプのワイヤラインおよびワイヤレス通信ネットワーク）に接続される通信デバイス１１０を含むことができる。通信ネットワーク１００は、ネットワーク１２５に接続された互換性サーバ１３０のようなサーバのうちの１つ以上をさらに含むことができる。
【００１７】
一態様において、通信デバイス１１０は、互換性モジュール１１２、および仮想カード拡張モジュール（ＶＣＥＭ：Virtual Card Extension Module）１２８をさらに含むことができる。一態様において、ＶＣＥＭは、仮想識別モジュールと記述されることができる。加えて、通信デバイス１１０は、限定はされないが、リムーバブル・ユーザ・アイデンティティ・モジュール（ＲＵＩＭ）カード、ＣＤＭＡ加入者アイデンティティ・モジュール（ＣＳＩＭ）等のようなリムーバブル・メモリ・カード１２２を動作上含むことができる。一態様において、互換性モジュール１１２は、限定はされないが、モバイル・ネットワーク・コード（ＭＮＣ：mobile network code）、モバイル国コード（ＭＣＣ：mobile country code）等１１６のような情報を含むことができる内部パラメータ・モジュール１１４を含むことができる。さらに、デバイスの不揮発性（ＮＶ）メモリ１２０に存在するＶＣＥＭ１２８は、通信デバイス１１０に関連付けられたアプリケーションのための動作性、優先割り当て等を支援するように動作可能なアイデンティティ・クレデンシャル１２４およびプロファイル・モジュール１２６を含むことができる。一態様において、互換性モジュール１１２は、通信デバイス１１０に関連付けられたモジュールおよび／またはアプリケーションを通したそれ以外の方法でアクセス可能ではない特徴を可能にするように動作可能であることができる。
【００１８】
一態様において、ＲＵＩＭカード１２２は、より新しいＲＵＩＭカード１２２（a more to date RUIM card 122）を通してアクセス可能な１つ以上の特徴を動作可能にさせないレガシー・カード（legacy card）であることができる。たとえば、ＲＵＩＭカード１２２は、３Ｇパケット・データ（３ＧＰＤ）システムにそれ以外の方法でアクセス可能であり得る。そのような例において、ＲＵＩＭカード１２２から３ＧＰＤにアクセスするための特徴を取り除く代わりに、互換性モジュール１１２は、３ＧＰＤ構成および／またはユーザ・アイデンティティ・クレデンシャル１２４のためのＶＣＥＭ１２８から読み取るために旧ＲＵＩＭカード１２２およびフォールバック（fallback）を検出するように動作可能であることができる。さらに、別の例において、新しいＣ．Ｓ００２３Ｒｅｖ Ｄ／Ｃ．Ｓ００６５Ｒｅｖ Ａまたは後の準拠したカード１２２が使用される場合、互換性モジュール１２２は、第１にアプリケーションの種類（たとえば、カード１２２が、ＲＵＩＭカードのタイプ、ＣＳＩＭカードのタイプ等かどうか）を検出することができる。それ以降、カード１２２のタイプがＲＵＩＭカードとして検出された場合、互換性モジュール１１２は、カード１２２が最新のものかレガシー・カード１２２かどうかを検出するように動作可能であることができる。カード１２２がレガシー・カードであるように検出された場合、ユーザ・アイデンティティ・クレデンシャル１２４は、さらなる特徴へのアクセスを通信デバイス１１０に提供するためにＶＣＥＭ１２８−から読み取られることができる。
【００１９】
一態様において、レガシー・カードの特性を検出することは、３ＧＰＤ拡張（３ＧＰＤ＿ＥＸＴＮ）サービス（Ｎ１５）が基礎ファイル−ＣＤＭＡサービス・テーブル（ＥＦ−ＣＳＴ）においてアクティブ化されるかどうかをチェックすることによって行われることができる。そのような一態様において、ＲＵＩＭカードが挿入された場合、互換性モジュール１１２は、ＥＦ−ＣＳＴにおける３ＧＰＤシンプルＩＰ（３ＧＰＤ＿ＳＩＰ）および３ＧＰＤモバイルＩＰ（３ＧＰＤ＿ＭＩＰ）サービスをチェックすることができ、ＲＵＩＭカードから３ＧＰＤクレデンシャルにアクセスすることができる。加えて、互換性モジュール１１２は、レガシーＲＵＩＭカード（たとえば、Ｃ．Ｓ００２３−０またはＣ．Ｓ００２３−Ｂ ＲＵＩＭカード）を区別するためにＥＦ−ＣＳＴにおいて３ＧＰＤ＿ＥＸＴＮサービス（Ｎ１５）をチェックすることができる。一態様において、互換性モジュール１１２は、プロファイル・モジュール１２６から失われた情報を得るように動作可能であることができる。一態様において、動的プロファイルは、カード１２２から利用可能なプロファイル情報を増加させるためにプロファイル・モジュール１２６からのプロファイル情報を含むプロファイルとして定義されることができる。別の態様において、静的プロファイルは、カード１２２で記憶される十分に互換性のあるプロファイルとして定義されることができる。
【００２０】
別の態様において、レガシー・カードの特性を検出することは、ＥＦ−改訂ファイルをチェックすることによって行われることができる。そのような一態様において、ＥＦ−改訂ファイルは、ＲＵＩＭカードの異なるバージョン（たとえば、００００００００としてのＲｅｖ ０、０００００００１としてのＲｅｖ Ａ、００００００１０としてのＲｅｖ Ｂ、００００００１１としてのＲｅｖ Ｃ、０００００１００としてのＲｅｖ Ｄ等）に関する情報を提供することができる。オペレータのＲＵＩＭカードが同じ値で構成されている場合、ＥＦ−改訂ファイルは、互換性モジュール１１２に旧ＲＵＩＭカードと新しいＯＭＨ ＲＵＩＭカードを区別することを可能にさせることができる。
【００２１】
さらに別の態様において、レガシー・カードの特性を検出することは、ＥＦ−ＳＩＰＵＰＰＥＸＴ（６Ｆ７Ｄ）ＥＦアイテムの存在をチェックすることによって行われることができる。そのような一態様において、Ｃ．Ｓ００２３−Ｄ規格が成立されるまでＥＦ−ＳＩＰＵＰＰＥＸＴが追加されなかったように、ＥＦ−ＳＩＰＵＰＰＥＸＴエレメントの存在はカード１２２が最新であることを示す。カード１２２の特性を検出することに関する上記に説明された態様は、図３に関してさらに説明される。
【００２２】
一態様において、互換性サーバ１３０は、クレデンシャル・モジュール１３２を含むことができる。上記で述べられたように、互換性モジュール１１２は、情報がリムーバブル・メモリ・カード１２２に存在しないと決定される通信デバイス１１０のＶＣＥＭ１２８から失われたユーザ・クレデンシャル１２４および／またはプロファイル情報にアクセスすることができる。一態様において、失われたユーザ・クレデンシャル１２４および／またはプロファイル情報が通信デバイス１１０の不揮発性メモリ１２０から利用可能であることができない場合、通信デバイス１１０は、失われたユーザ・クレデンシャル１２４および／またはプロファイル情報を得るために互換性サーバ１３０と通信することができる。そのような態様において、失われたユーザ・クレデンシャル１２４および／またはプロファイル情報は、クレデンシャル・モジュール１３２を通してアクセス可能であることができる。さらに、クレデンシャル・モジュール１３２は、互換性モジュール１１２によって決定されるように、失われたユーザ・クレデンシャルにアクセスすることを可能にするためにユーザ・アイデンティティ・クレデンシャル・モジュール１３４を含むことができる。さらに、動的プロファイル・モジュール１３６は、互換性モジュール１１２によって決定されるように、失われたプロファイル情報にアクセスすることを可能にするためにプロファイル情報を含むことができる。
【００２３】
そのようなものとして、通信システム１００は、通信デバイス１１０が通信デバイス１１０に関連付けられたモジュールおよび／またはアプリケーションのための下位互換性を可能にするために互換性サーバを調整することができる環境を提供する。一態様において、下位互換性は、最新情報および／またはプロファイルを備えたレガシー・リムーバブル・メモリ・カード１２２を増加させることを通して達成されることができる。
【００２４】
図２、３、および４は、提示された主題のさまざまな態様に従ってさまざまな方法を示す。説明を簡単にする目的のために、方法は、一連の動作またはシーケンス・ステップとして示され、説明されているが、いくつかの動作は、ここに示され、説明される他の動作とは異なる順序で、および／または平行して行われ得るので、主張される主題は、動作の順序によって限定されないということが理解および認識されるべきである。たとえば、当業者は、方法が状態図のような一連の相関状態またはイベントとして代わりに表現されることができるということを理解し、認識するだろう。さらに、すべての示された動作が、主張される主題に関連付けられた方法を実現するために要求され得ることはない。加えて、以下に開示され、本明細書全体にわたる方法は、そのような方法をコンピュータに移送および転送することを容易にするために、製品に記憶されることが可能であることがさらに認識されるべきである。ここで使用されるように、用語の製品は、任意のコンピュータ可読デバイス、キャリア、または媒体からアクセス可能なコンピュータ・プログラムを含むことが意図される。
【００２５】
図２を参照して、モジュールおよび／またはアプリケーションのための下位互換性を可能にするためのシステム２００を説明するフローチャート例が示されている。参照数字２０２では、アイデンティティ・モジュールに関連付けられた変更が検出されることができる。一態様において、アイデンティティ・モジュールは、ＲＵＩＭカード、ＣＳＩＭカード等であることができる。一態様において、変更は、限定はされないが、アイデンティティ・モジュールの追加、アイデンティティ・モジュールのアップデート、既存のアイデンティティ・モジュールの交換等を含むことができる。参照数字２０４では、アイデンティティ・モジュールのタイプは、内部パラメータの少なくとも一部に基づいて決定されることができる。一態様において、内部パラメータは、ＭＮＣ、ＭＣＣ、ＣＳＴテーブルにおけるｎ１５エレメント、ＥＦ＿ＳＩＰＵＰＰｅｘｔエレメント等を含むことができる。参照数字２０６では、さらなる互換性クレデンシャルが得られる。一態様において、クレデンシャルは、ＯＭＨ互換性クレデンシャル、３ＧＰＤ互換性クレデンシャル等を含むことができる。一態様において、クレデンシャルは、デバイスに関連付けられた不揮発性メモリから得られることができる。別の態様において、クレデンシャルは、互換性サーバから得られることができる。参照数字２０８では、得られたクレデンシャルおよび内部パラメータは、デバイスを可能にするために使用されることができる。一態様において、得られたクレデンシャルおよび内部パラメータは、レガシーＲＵＩＭカードを通して利用可能なものを超えて機能性を提供する仮想カード拡張モジュール（ＶＣＥＭ）を生成するために使用されることができる。
【００２６】
図３を参照して、オープン・マーケット・ハンドセット（ＯＭＨ）のための下位互換性を容易にするためのシステム３００を説明するフローチャート例が示されている。参照数字３０２では、割り当てられ、アクティブ化されたＣＳＴリストにおけるｎ１５エレメントを含む通信デバイスに関連付けられたカードかどうかが決定される。一態様において、構成情報は、限定はされないが、音声、ＳＭＳウェブ・ブラウザＭＭＳ等のようなサービスを可能にすることができる。
【００２７】
参照数字３０２でｎ１５エレメントが割り当てられ、アクティブ化されるということが決定された場合、その後、参照数字３０４でＥＦ＿ＳＩＰＵＰＰｅｘｔエレメントが存在するかどうかが決定される。参照数字３０４でＥＦ＿ＳＩＰＵＰＰｅｘｔエレメントが存在するということが決定された場合、その後、参照数字３０６でＥＦ＿ＳＩＰＵＰＰｅｘｔエレメントが適切に構成されるかどうかが決定される。参照数字３０６でＥＦ＿ＳＩＰＵＰＰｅｘｔエレメントが適切に構成されるということが決定された場合、その後、参照数字３０８で通信デバイスはカードから構成情報にアクセスすることができる。一態様において、構成情報は、限定はされないが、音声、ＳＭＳウェブ・ブラウザＭＭＳ等のようなサービスを可能にすることができる。
【００２８】
対照的に、参照数字３０２、３０２、または３０６のうちのいずれか１つでエレメントが不完全である、および／または存在しないと決定された場合、その後、参照数字３１０で１つ以上のプロファイルがモバイル機器（ＭＥ）に記憶されているかどうかが決定される。一態様において、複数のプロファイルは、不揮発性メモリに存在することができるＶＣＥＭに記憶されることができる。参照数字３１０で１つ以上の適用可能なプロファイルが通信デバイス・メモリに記憶されているということが決定された場合、その後、参照数字３１２で通信デバイスは記憶されたプロファイルにアクセスし、記憶された構成情報を使用することで動作することができる。別の態様において、通信デバイスは、利用可能である場合、プロファイル（たとえば、プロビジョニング・パラメータ等）をダウンロードするためにリモート・サーバにアクセスし、ダウンロードされた構成情報を使用して動作することができる。対照的に、参照数字３１０で適用可能なプロファイルが通信デバイス・メモリ（たとえば、ＶＣＥＭにおいて）に記憶されていないということが決定された場合、その後、参照数字３１２で通信デバイスはレガシー・モードにおいて動作することができる。
【００２９】
図４を参照すると、オープン・マーケット・ハンドセット（ＯＭＨ）の動作性を容易にするためのシステム４００を説明するフローチャート例が示されている。参照数字４０２では、モバイル機器（ＭＥ）は、モバイル国コード（ＭＣＣ）およびモバイル・ネットワーク・コード（ＭＮＣ）が得られることができるメモリ・カードを含むことができる。一態様において、ＭＣＣおよびＭＮＣは、モバイル国際移動体加入者識別（ＩＭＳＩ＿Ｍ：International Mobile Subscriber Identity）基礎ファイル（ＥＦは、カードにおいて存在する）から読み取られることができる。
【００３０】
参照数字４０４では、通信デバイスはネットワーク接続を取得することができる。一態様において、ネットワークは、互換性サーバとの接続を可能にさせることができる。参照数字４０６では、カードは、ＯＭＨ互換カードかどうかが決定される。一態様において、カードは、リムーバブル・ユーザ・アイデンティティ・モジュール（ＲＵＩＭ）カードであることができる。別の態様において、カードは、ＣＤＭＡ加入者アイデンティティ・モジュール（ＣＳＩＭ）カードであることができる。一態様において、カードは、（ＲＵＩＭのための）Ｃ．Ｓ００２３−Ｄまたは（ＣＳＩＭのための）Ｃ．Ｓ００６５−Ａ規格と互換性があることができる。そのような態様において、新しいサービスは、ＥＦｓにおいて示されることができる。さらに別の態様において、カードは、Ｃ．Ｓ００２３−０またはＣ．Ｓ００２３−Ｂ規格と互換性があることができる。そのような態様において、ＯＭＨハンドセットは、十分に動作可能であることができない。
【００３１】
メモリ・カードが参照数字４０６でＯＭＨ互換性があるということが決定された場合、その後、参照数字４０８で通信デバイスはＯＭＨモードに機能することができる。対照的に、メモリ・カードが参照数字４０６でＯＭＨ互換性がないということが決定された場合、その後、参照数字４１０で通信デバイスでのＶＣＥＭがＯＭＨモードのために利用可能な対応する特徴の情報を有するということが決定される。
【００３２】
参照数字４１０で通信デバイスがＶＣＥＭにおいて対応する情報を有する場合、その後、参照数字４１２で通信デバイスは合成ＯＭＨモード（synthetic OMH mode）において動作可能であることができる。ここに使用されるように、合成ＯＭＨモードは、ＯＭＨの特徴の一部がメモリ・カードから得られ、異なる特徴の一部がＶＣＥＭから得られる動作のモードを含むことができる。対象的に、参照数字４１０で通信デバイスがＶＣＥＭにおいて対応する情報を有さない場合、その後、参照数字４１４で互換性サーバは、対応する情報が利用可能かどうかを決定するためにチェックされる。
【００３３】
参照数字４１４で対応が互換性サーバから利用可能ではないと決定された場合、その後、参照数字４１６で通信デバイスはメモリ・カードから利用可能な情報を使用して機能することができる。一態様において、この動作状態は、レガシーＲＵＩＭモードと称されることができる。対照的に、参照数字４１４で対応は互換性サーバから利用可能であるということが決定された場合、その後、参照数字４１８で対応する情報は、ＶＣＥＭにおいてダウンロードおよび記憶されることができ、通信デバイスは、合成ＯＭＨモードにおいて動作することができる。
【００３４】
図５にも移るが、図１を参照している間、通信デバイス１１０のアーキテクチャ例が図示されている。図５に描写されるように、デバイス５００は、たとえば、受信アンテナ（図示せず）から信号を受信し、受信された信号で典型的なアクション（たとえば、フィルターする、増幅する、ダウンコンバートする等）を行い、サンプルを得るために調整された信号をデジタル化する受信機５０２を含む。受信機５０２は、受信されたシンボルを復調し、それらをチャネル推定のためにプロセッサ５０６に提供することができる復調器５０４を含むことができる。プロセッサ５０６は、受信機５０２によって受信された情報を分析し、および／または、送信機５２０によって送信のための情報を生成する専用のプロセッサ、デバイス５００のうちの１つ以上のコンポーネントを制御するプロセッサ、および／または、受信機５０２によって受信された情報を分析し、送信機５２０によって送信のための情報を生成することと、デバイス６００のうちの１つ以上のコンポーネントを制御することの両方のプロセッサであることができる。
【００３５】
デバイス５００は、加えて、プロセッサ５０６に動作可能に結合されたメモリ５０８であって、送信されるべきデータ、受信されたデータ、利用可能なチャネルに関連する情報、分析された信号および／または干渉強度に関連付けられたデータ、割当てられたチャネル、電力、レート、または同様のものに関連する情報、および、チャネルを推定し、チャネルを介して通信するための任意の他の適切な情報を記憶することができるメモリ５０８を含むことができる。一態様において、メモリ５０８は、ＶＣＥＭ５１０を含むことができる。一態様において、ＶＣＥＭ５１０は、さらなる機能性を提供するために通信デバイス１１０に対して利用可能なユーザ・アイデンティティ・クレデンシャル５１２を増加させるために使用されることができる。一態様において、ＶＣＥＭ５１０は、ＯＭＨ互換性クレデンシャル、３ＧＰＤ互換性クレデンシャル等を増加させることができるプロファイル５１４モジュールを含むことができる。
【００３６】
さらに、プロセッサ５０６は、アイデンティティ・モジュールにおける変更を検出する手段と、ここにおいて、変更はデバイスに新しいアイデンティティ・モジュールの追加、または、デバイスにおけるアイデンティティ・モジュールのタイプを変更すること、のいずれかである、１つ以上の内部パラメータおよび１つ以上の得られたクレデンシャルを使用してデバイスを可能にするための手段を提供することができる。
【００３７】
ここで説明されるデータ記憶装置（たとえば、メモリ５０８）は、揮発性メモリまたは不揮発性メモリのいずれかであること、または揮発性と不揮発性メモリの両方を含むことができるということが理解されるだろう。限定ではなく例として、不揮発性メモリは、読み出し専用メモリ（ＲＯＭ）、プログラマブルＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュ・メモリを含むことができる。揮発性メモリは、外部キャッシュ・メモリとしての役割を果たす、ランダム・アクセス・メモリ（ＲＡＭ）を含むことができる。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ ＳＤＲＡＭ）、エンハンスドＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態において利用可能である。主題の装置および方法のメモリ５０８は、これらの、および任意の他の適切なタイプのメモリを含むが、これらに限定されないことが意図される。
【００３８】
デバイス５００は、デバイス５００によるさまざまなレガシー・ユーザ・アイデンティティ・モジュール５５０との下位互換性を容易にするために互換性モジュール５３０をさらに含むことができる。一態様において、互換性モジュール５３０は、限定はされないが、モバイル・ネットワーク・コード（ＭＮＣ）、モバイル国コード（ＭＣＣ）等のような情報を含むことができる内部パラメータ・モジュール５３２を含むことができる。さらに、内部パラメータ・モジュール５３２は、通信デバイス５００に関連付けられたアプリケーションのための動作性、優先割り当て等を支援するように動作可能であることができる。一態様において、互換性モジュール５３０は、そうでなければ通信デバイス５００に関連付けられたユーザ・アイデンティティ・モジュール５５０および／またはアプリケーションを通してアクセス可能ではない特徴を可能にするように動作可能であることができる。
【００３９】
加えて、通信デバイス５００は、ユーザ・インタフェース５４０を含むことができる。ユーザ・インタフェース５４０は、通信デバイス５００の中に入力を生成するための入力機構５４２、および、通信デバイス５００のユーザによる消費のための情報を生成するための出力機構５４２を含むことができる。たとえば、入力機構５４２は、キーまたキーボード、マウス、タッチスクリーン・ディスプレイ、マイクロフォン等のような機構を含むことができる。さらに、たとえば、出力機構５４４は、ディスプレイ、オーディオ・スピーカ、触力覚フィードバック機構（haptic feedback mechanism）、パーソナル・エリア・ネットワーク（ＰＡＮ）トランシーバ等を含むことができる。示される態様において、出力機構５４４は、画像またはビデオ形式においてメディア・コンテンツを表すように動作するディスプレイ、または、オーディオ形式においてメディア・コンテンツを表すオーディオ・スピーカを含むことができる。
【００４０】
さらに、１つのオプションの態様において、通信デバイス５００は、ユーザ・アイデンティティ・モジュール５５０を含むことができる。一態様において、ユーザ・アイデンティティ・モジュールは、限定はされないが、1つ以上のプロファイル５５４、ＭＮＣおよびＭＣＣ値５５６等のような内部パラメータ５５２を含むことができる。一態様において、内部パラメータ５５２は、ＣＳＴテーブルにおけるｎ１５エレメント、ＥＦ＿ＳＩＰＵＰＰｅｘｔエレメント等をさらに含むことができる。
【００４１】
ここで説明されるユーザ・アイデンティティ・モジュール５５０は、揮発性メモリまたは不揮発性メモリのいずれかであることができ、または、揮発性および不揮発性メモリの両方を含むことができるということが理解されるだろう。限定ではなく例として、不揮発性メモリは、読み出し専用メモリ（ＲＯＭ）、プログラマブルＲＯＭ（ＰＲＯＭ）、電気的にプログラム可能なＲＯＭ（ＥＰＲＯＭ）、電気的に消去可能なＰＲＯＭ（ＥＥＰＲＯＭ）、またはフラッシュ・メモリを含むことができる。揮発性メモリは、外部キャッシュ・メモリとしての役割を果たす、ランダム・アクセス・メモリ（ＲＡＭ）を含むことができる。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ ＳＤＲＡＭ）、エンハンスドＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態において利用可能である。別の態様において、ここに説明されるユーザ・アイデンティティ・モジュールは、限定はされないが、リムーバブル・ユーザ・アイデンティティ・モジュール（ＲＵＩＭ）カード、ＣＤＭＡ加入者アイデンティティ・モジュール（ＣＳＩＭ）等のようなリムーバブル・メモリ・カードであることができる。
【００４２】
図６を参照して、示されるのは、図１に描写された互換性サーバ１３０のような互換性システム６００の詳細なブロック図である。互換性システム６００は、任意のタイプのハードウェア、サーバ、パーソナル・コンピュータ、ミニ・コンピュータ、大型汎用コンピュータ、または、特殊用途または汎用コンピューティング・デバイスのいずれかの任意のコンピューティング・デバイスのうちの少なくとも１つを含むことができる。さらに、互換性システム６００によって実行または動作されているように、ここに説明されるモジュールおよびアプリケーションは、図６に示されるように、単一ネットワーク・デバイスで完全に実行されることができ、また、あるいは、他の態様において、別々のサーバ、データベース、またはコンピュータ・デバイスは、パーティ（party）に対して使用に適した形式でデータを提供するために、および／または、互換性システム６００によって実行された通信デバイス１１０のようなデバイス、モジュール、アプリケーションとの間のデータ・フローにおいて別々の制御のレイヤを提供するために、共に動作することができる。
【００４３】
互換性システム６００は、ワイヤードおよびワイヤレス・ネットワークをわたってデータを送信および受信することができ、ルーチンおよびアプリケーションを実行することができるコンピュータ・プラットフォーム６０２を含む。コンピュータ・プラットフォーム６０２は、読み出し専用および／またはランダム・アクセス・メモリ（ＲＯＭおよびＲＡＭ）、ＥＰＲＯＭ、ＥＥＰＲＯＭ、フラッシュ・カード、またはコンピュータ・プラットフォームに共通にしている任意のメモリのような揮発性および不揮発性メモリを含むことができるメモリ６０４を含む。さらに、メモリ６０４は、1つ以上のフラッシュ・メモリ・セルを含むことができ、磁気メディア、光学メディア、テープ、または、ソフトまたはハード・ディスクのような任意の第２または第３の記憶デバイスであることができる。さらに、コンピュータ・プラットフォーム６０２は、また、特定用途向け集積回路（「ＡＳＩＣ」）、または他のチップセット、論理回路、または他のデータ処理デバイスであることができるプロセッサ６３０を含む。プロセッサ６３０は、ワイヤードまたはワイヤレス・ネットワークでのネットワーク・デバイスの動作性、および互換性システム６００の機能性を可能にするハードウェア、ファームウェア、ソフトウェア、およびそれらの組み合わせで具現化されるさまざまな処理サブシステム６３２を含むことができる。
【００４４】
コンピュータ・プラットフォーム６０２は、互換性システム６００と通信デバイス１１０の間と同様に、互換性システム６００のさまざまなコンポーネントの間の通信を可能にするハードウェア、ファームウェア、ソフトウェア、およびそれらの組み合わせで具現化される通信モジュール６５０をさらに含む。通信モジュール６５０は、ワイヤレス通信接続を確立するために必要なハードウェア、ファームウェア、ソフトウェア、および／またはそれらの組み合わせを含むことができる。説明される態様によると、通信モジュール６５０は、互換性サーバ１３０とデバイス１１０の間のワイヤレスおよび／またはワイヤライン通信を容易にするために必要なハードウェア、ファームウェアおよび／またはソフトウェアを含むことができる。
【００４５】
互換性システム６００のメモリ６０４は、通信デバイス１１０のための下位互換性を容易にするために、さらなるユーザ・アイデンティティ・クレデンシャル、プロファイル情報等を、通信デバイス１１０のようなデバイスに提供するように動作することができるクレデンシャル・モジュール６１０を含む。一態様において、認証モジュール６０４は、失われたユーザ・クレデンシャルにアクセスすることを可能にするためにユーザ・アイデンティティ・クレデンシャル・モジュール６１２を含むことができる。さらに、プロファイル・モジュール６１４は、失われたプロファイル情報にアクセスすることを可能にするためにプロファイル情報を含むことができる。一態様において、クレデンシャルは、ＯＭＨ互換性クレデンシャル、３ＧＰＤ互換性クレデンシャル等を含むことができる。
【００４６】
図７を参照して、一態様に従って示されるのは、ＯＭＨｓにおける下位互換性を可能にするためのシステム７００である。たとえば、システム７００は、通信デバイス、ユーザ機器等の内で少なくとも部分的に存在することができる。システム７００は、機能ブロックを含むものとして表され、それは、プロセッサ、ソフトウェア、またはそれらの組み合わせ（たとえば、ファームウェア）によって実現される機能を表す機能ブロックであることができるということを理解すべきである。
【００４７】
システム７００は、共に動作することができる手段の論理グループ７０２を含む。たとえば、論理グループ７０２は、アイデンティティ・モジュール７０４のうちの１つ以上の内部パラメータに基づいてアイデンティティ・モジュールのタイプを決定するための手段を含むことができる。一態様において、１つ以上のパラメータは、最新のサービス・パラメータ、構成パラメータ等を含むことができる。別の態様において、１つ以上の内部パラメータは、ＣＳＴテーブルにおけるｎ１５エレメント、またはＥＦ＿ＳＩＰＵＰＰｅｘｔエレメントを含むことができる。そのような態様において、決定するための手段は、ＥＦ＿ＳＩＰＵＰＰｅｘｔエレメントが存在しない場合、またはＥＦ＿ＳＩＰＵＰＰｅｘｔエレメントが適切に構成されない場合：のうちの少なくとも１つの場合、ＥＦ＿ＳＩＰＵＰＰｅｘｔエレメントは、不完全であることを決定するための手段をさらに含むことができる。別の態様において、アイデンティティ・モジュールは、モバイル国コード（ＭＣＣ）およびモバイル・ネットワーク・コード（ＭＮＣ）を含むことができる。別の態様において、アイデンティティ・モジュールは、ＲＵＩＭかＣＳＩＭかのいずれかを含むことができ、ここでレガシー・アイデンティティ・モジュールは、Ｃ．Ｓ００２３−Ｄ規格と互換性がないＲＵＩＭ、またはＣ．Ｓ００６５−Ａ規格と互換性がないＣＳＩＭとして定義されることができる。別の態様において、１つ以上のクレデンシャルは、オープン・マーケット・ハンドセット（ＯＭＨ）クレデンシャル、３Ｇパケット・データ（３ＧＰＤ）クレデンシャル等を含むことができる。別の態様において、得るための手段は、１つ以上のクレデンシャルを決定するためにＭＣＣおよびＭＮＣを使用するための手段を含むことができる。別の態様において、得るための手段は、デバイスの不揮発性（ＮＶ）メモリに記憶されている１つ以上のクレデンシャルを決定するための手段と、デバイスのＮＶメモリに記憶された１つ以上のクレデンシャルにアクセスするための手段をさらに含むことができる。別の態様において、得るための手段は、サーバから利用可能な１つ以上のクレデンシャルを決定するための手段と、サーバから１つ以上のクレデンシャルにアクセスするための手段をさらに含むことができる。別の態様において、得るための手段は、アイデンティティ・モジュールの１つ以上の内部パラメータに基づいてアプリケーションのための動的プロファイルを得るための手段をさらに含むことができ、ここで動的プロファイルは１つ以上の内部パラメータと異なる１つ以上のパラメータを含む。さらに、論理グループ７０２は、アイデンティティ・モジュールにおける変更を検出する手段を含むことができる、ここにおいて、変更はデバイスへの新しいアイデンティティ・モジュールの追加、または、デバイスにおけるアイデンティティ・モジュールのタイプを変更すること、のいずれかであり、１つ以上の内部パラメータおよび１つ以上の得られたクレデンシャルを使用してデバイスを可能にすることである。さらに、論理グループ７０２は、得られた１つ以上のクレデンシャルおよびアイデンティティ・モジュールの１つ以上の内部パラメータに基づいて仮想カード拡張モジュールを生成するための手段を含むことができる。さらに、論理グループ７０２は、アイデンティティ・モジュールがデバイスに接続されていたことを検出するための手段と、アイデンティティ・モジュールのタイプが、レガシー・アイデンティティ・モジュールであるということを決定するための手段を含むことができる。
【００４８】
加えて、システム７００は、手段７０４および７０６に関連付けられた機能を実行するための命令を保持するメモリ７０８を含むことができる。メモリ７０８の外部にあるように示されるが、手段７０４および７０６の１つ以上は、メモリ７０８内に存在することができるということを理解すべきである。
【００４９】
このアプリケーションに使用されているように、用語「コンポーネント」、「モジュール」、「システム」、および同等のものは、限定はされないが、ハードウェア、ファームウェア、ハードウェアとソフトウェアの組み合わせ、ソフトウェア、または実行されているソフトウェアのようなコンピュータ関連のエンティティを含むように意図される。たとえば、コンポーネントは、限定はされないが、プロセッサで実行中の処理、プロセッサ、オブジェクト、実行形式、実行スレッド、プログラム、および／またはコンピュータであることができる。実例として、コンピューティング・デバイスで実行中のアプリケーションと、コンピューティング・デバイスの両方がコンポーネントであることができる。１つ以上のコンポーネントは、処理および／または実行スレッド内に存在することができ、コンポーネントは、１つのコンピュータに局在化され、および／または、２つ以上のコンピュータの間に分散されることができる。加えて、これらのコンポーネントは、その上に記憶されたさまざまなデータ構造を有するさまざまなコンピュータ可読能媒体から実行することができる。コンポーネントは、信号を経由してローカル・システム、分散システム、および／または、他のシステムを備えたインターネットのようなネットワークをわたって別のコンポーネントとインタラクトする１つのコンポーネントからのデータのような、１つ以上のデータ・パケットを有する信号にしたがうようなローカルおよび／またはリモート処理を経由して通信することができる。
【００５０】
さらに、さまざまな態様は、ワイヤード端末またはワイヤレス端末であることができる端末に関してここに説明される。端末は、また、システム、デバイス、加入者ユニット、加入者局、移動局、モバイル、モバイル・デバイス、遠隔局、モバイル機器（ＭＥ）、遠隔端末、アクセス端末、ユーザ端末、端末、通信デバイス、ユーザ・エージェント、ユーザ・デバイス、またはユーザ機器（ＵＥ）と呼ばれることができる。ワイヤレス端末は、セルラー電話、衛星電話、コードレス電話、セッション初期化プロトコル（ＳＩＰ）電話、無線ローカル・ループ（ＷＬＬ）局、携帯情報端末（ＰＤＡ）、ワイヤレス接続機能を有するハンドヘルド・デバイス、コンピューティング・デバイス、または、ワイヤレス・モデムに接続された他の処理デバイスであることができる。さらに、さまざまな態様は、基地局に関してここに説明される。基地局は、（単数または複数の）ワイヤレス端末と通信するために使用されることができ、また、アクセスポイント、ノードＢ、またはいくつかの他の専門用語として称されることができる。
【００５１】
さらに、用語「または」は、排他的な「または」ではなく、包括的な「または」を意味することが意図される。すなわち、特に指定されない、または、文脈から明らかではない場合、句「ＸはＡまたはＢを使用する」は、自然な包括的な置き換えのうちのいずれかを意味することが意図される。すなわち、句「ＸはＡまたはＢを使用する。」は、下記の例のうちのいずれかによって満たされる；ＸはＡを使用する；ＸはＢを使用する；または、ＸはＡとＢとの両方を使用する。加えて、本願および特許請求の範囲において使用されるような冠詞「ａ」および「ａｎ」は、特に指定されない、または、単数を対象としていることが文脈から明らかではない場合、一般に、「１以上の」を意味するものと解釈されるべきである。
【００５２】
ここに説明される技術は、ＣＤＭＡ、ＴＤＭＡ、ＦＤＭＡ、ＯＦＤＭＡ、ＳＣ−ＦＤＭＡ、および他のシステムのようなさまざまなワイヤレス通信システムのために使用されることができる。用語「システム」および「ネットワーク」は、しばしば区別なく同義で用いられる。ＣＤＭＡシステムは、ユニバーサル地上無線アクセス（ＵＴＲＡ：Universal Terrestrial Radio Access）、ｃｄｍａ２０００、等のような無線技術を実現することができる。ＵＴＲＡは、広帯域−ＣＤＭＡ（Ｗ−ＣＤＭＡ）およびＣＤＭＡの他の変形を含む。さらに、ｃｄｍａ２０００は、ＩＳ−２０００、ＩＳ−９５、およびＩＳ−８５６規格をカバーする。ＴＤＭＡシステムは、移動体通信のための全世界システム（ＧＳＭ（登録商標）：Global System for Mobile Communications）のような無線技術を実現することができる。ＯＦＤＭＡシステムは、進化型ＵＴＲＡ（Ｅ−ＵＴＲＡ：Evolved UTRA）、ウルトラ・モバイル広帯域幅（ＵＭＢ：Ultra Mobile Bandwidth）、ＩＥＥＥ８０２．１１（Ｗｉ−Ｆｉ）、ＩＥＥＥ８０２．１６（ＷｉＭａｘ）、ＩＥＥＥ８０２．２０、フラッシュ（Ｆｌａｓｈ）−ＯＦＤＭ、等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・エボリューション（ＬＴＥ）は、ダウンリンクではＯＦＤＭＡを、アップリンクではＳＣ−ＦＤＭＡを使用するＥ−ＵＴＲＡを用いるＵＭＴＳのリリースである。ＵＴＲＡ、Ｅ−ＵＴＲＡ、ＵＭＴＳ、ＬＴＥおよびＧＳＭは、「第３世代パートナーシップ・プロジェクト」（３ＧＰＰ：3rd Generation Partnership Project）と名づけられた組織からの文書に記述されている。さらに、ｃｄｍａ２０００およびＵＭＢは、「第３世代パートナーシップ・プロジェクト２」（３ＧＰＰ２）と名づけられた組織からの文書に記述されている。さらに、このようなワイヤレス通信システムは、しばしばアンペア（unpaired）な無許可のスペクトルを使用するピア・ツー・ピア（たとえば、モバイル・ツー・モバイル）アドホック・ネットワークシステム、６０２．ｘ
ｘワイヤレスＬＡＮ、Ｂｌｕｅｔｏｏｔｈ（登録商標）、および任意の他の短距離または長距離の無線通信技術をさらに含むことができる。
【００５３】
さまざまな態様または特徴が、多くのデバイス、コンポーネント、モジュール、および同類のものを含むことができるシステムの観点から示されるだろう。さまざまなシステムは、さらなるデバイス、コンポーネント、モジュール等を含むことができ、および／または、図に関して説明されたデバイス、コンポーネント、モジュール等の全てを含むことはできないということが理解され、認識されるべきである。これらアプローチの組み合わせは、また、使用されることができる。
【００５４】
ここに開示された態様に関して記載されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェアコンポーネント、または、ここに説明される機能を実行するように設計されたこれら任意の組み合わせとともに実現または実行されることができる。汎用プロセッサは、マイクロ・プロセッサであることができるが、あるいは、プロセッサは、任意の従来のプロセッサ、コントローラ、マイクロ・コントローラ、または状態機械（state machine）であることができる。プロセッサは、また、たとえばＤＳＰとマイクロ・プロセッサの組み合わせ、複数のマイクロ・プロセッサ、ＤＳＰコアと連動する１つ以上のマイクロ・プロセッサ、または任意の他のこのような構成であるコンピューティング・デバイスの組み合わせとして実現されることができる。さらに、少なくとも１つのプロセッサは、上述されたステップおよび／または動作のうちの１つ以上を実行するように動作可能な１つ以上のモジュールを含むことができる。
【００５５】
さらに、ここで開示された態様に関連して説明された方法、またはアルゴリズムのステップおよび／または動作は、ハードウェアで直接的に、プロセッサによって実行されるソフトウェア・モジュールで、または両者の組み合わせで具現化されることができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、または当該技術で周知の任意の他の形態の記憶媒体において存在することができる。例示的な記憶媒体は、プロセッサが記憶媒体から情報を読み出し、記憶媒体に情報を書き込むことができるように、プロセッサに結合されることができる。あるいは、記憶媒体は、プロセッサと一体化されることができる。さらに、いくつかの態様において、プロセッサおよび記憶媒体は、ＡＳＩＣに存在することができる。さらに、ＡＳＩＣは、ユーザ端末に存在することができる。あるいは、プロセッサおよび記憶媒体は、ユーザ端末に離散コンポーネントとして存在することができる。さらに、いくつかの態様において、方法、またはアルゴリズムのステップおよび／または動作は、コンピュータ・プログラム製品に組み込まれ得る機械可読能媒体および／またはコンピュータ可読能媒体での１つまたは任意の組み合わせ、または、コードおよび／または命令のセットとして存在することができる。
【００５６】
１つ以上の態様において、説明される機能は、ハードウェア、ソフトウェア、ファームウェア、またはそれらの任意の組み合わせで実現されることができる。ソフトウェアで実現される場合、機能は、コンピュータ可読媒体で１つ以上の命令またはコードとして記憶され、送信されることができる。コンピュータ可読媒体は、コンピュータ・プログラムをある場所から別の場所への転送を容易にする任意の媒体を含むコンピュータ記憶媒体と通信媒体の両方を含む。記憶媒体は、コンピュータによってアクセスされることができる任意の利用可能な媒体であることができる。限定ではなく例として、そのようなコンピュータ可読媒体は、命令またはデータ構造の形態で所望のプログラムコードを実行または記憶するために、使用されることができ、かつ、コンピュータによってアクセスされることができる、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または任意の他の媒体を含むことができる。また、任意の接続はコンピュータ可読媒体と呼ばれることができる。たとえば、ソフトウェアが、同軸ケーブル、光ファイバー・ケーブル、ツイストペア、デジタル加入者線（ＤＳＬ）、または赤外線、無線、およびマイクロ波のようなワイヤレス技術を使用してウェブサイト、サーバ、または他の遠隔ソースから送信された場合、同軸ケーブル、光ファイバー・ケーブル、ツイストペア、ＤＳＬ、または赤外線、無線、およびマイクロ波のようなワイヤレス技術が、媒体の定義に含まれる。ディスク（disk）およびディスク（disc）は、ここで使用される場合、コンパクト・ディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は通常、レーザーを用いて光学的にデータを再生する。上記の組み合わせは、また、コンピュータ可読媒体の範囲内に含まれるべきである。
【００５７】
先の開示は例示的な態様および／または態様について議論しているが、説明された態様、および／または、特許請求の範囲によって定義されたような態様の範囲から逸脱することなく、さまざまな変更および修正がここでなされうることが注目されるべきである。さらに、説明された態様のエレメントおよび／または態様は、単数形で記載または主張されることができるが、単数に対する限定が明確に述べられていないのであれば、複数が考慮される。それに加えて、それ以外であると述べられていないのであれば、態様および／または任意の態様のうちのすべてまたは一部が、態様および／または任意の他の態様のうちのすべてまたは一部とともに利用されることができる。
【図１】
2013533664.tif 000003
【図２】
2013533664.tif 000004
【図３】
2013533664.tif 000005
【図４】
2013533664.tif 000006
【図５】
2013533664.tif 000007
【図６】
2013533664.tif 000008
【図７】
2013533664.tif 000009
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
アイデンティティ・モジュールの１つ以上の内部パラメータに基づいて前記アイデンティティ・モジュールのタイプを決定することと、
前記決定された前記タイプのアイデンティティ・モジュールの少なくとも一部に基づいて１つ以上のクレデンシャルを得ること、
を含む、デバイスのための通信の方法。
【請求項２】
前記アイデンティティ・モジュールにおける変更を検出することと、ここにおいて、前記変更は、前記デバイスに新しいアイデンティティ・モジュールの追加、または前記デバイスにおける前記アイデンティティ・モジュールの前記タイプを変更すること、のいずれかである、
前記１つ以上の内部パラメータおよび前記１つ以上の得られたクレデンシャルを使用して前記デバイスを可能にすること、
をさらに含む、請求項１に記載の方法。
【請求項３】
前記１つ以上の内部パラメータは、サービスの状態、または構成パラメータのうちの少なくとも１つを含む、請求項１に記載の方法。
【請求項４】
前記１つ以上のクレデンシャルは、オープン・マーケット・ハンドセット（ＯＭＨ）のクレデンシャル、または３Ｇパケット・データ（３ＧＰＤ）のクレデンシャルのうちの少なくとも１つを含む、請求項１に記載の方法。
【請求項５】
前記アイデンティティ・モジュールは、モバイル国コード（ＭＣＣ）およびモバイル・ネットワーク・コード（ＭＮＣ）を含む、ここにおいて、前記得ることは、前記１つ以上のクレデンシャルを決定するために前記ＭＣＣおよびＭＮＣを使用することをさらに含む、請求項１に記載の方法。
【請求項６】
前記得ることは、
前記１つ以上のクレデンシャルが前記デバイスの不揮発性（ＮＶ）メモリに記憶されていると決定することと、
前記デバイスの前記ＮＶメモリに記憶された前記１つ以上のクレデンシャルにアクセスすること、
をさらに含む、請求項１に記載の方法。
【請求項７】
前記得ることは、
１つ以上のプロビジョニング・パラメータまたは前記１つ以上のクレデンシャルのうちの少なくとも１つがサーバから利用可能であると決定することと、
前記サーバから前記１つ以上のプロビジョニング・パラメータまたは前記１つ以上のクレデンシャルのうちの前記少なくとも１つにアクセスすること、
をさらに含む、請求項１に記載の方法。
【請求項８】
前記得ることは、前記アイデンティティ・モジュールの前記１つ以上の内部パラメータに基づいてアプリケーションのための動的プロファイルを得ることをさらに含む、ここにおいて、前記動的プロファイルは、前記１つ以上の内部パラメータと異なる１つ以上のパラメータを含む、請求項１に記載の方法。
【請求項９】
前記アイデンティティ・モジュールおよび前記得られた１つ以上のクレデンシャルのうちの前記１つ以上の内部パラメータに基づいて仮想認識モジュールを生成することをさらに含む、請求項１に記載の方法。
【請求項１０】
前記アイデンティティ・モジュールは、前記デバイスに接続されていたことを検出することと、
前記アイデンティティ・モジュールの前記タイプは、レガシー・アイデンティティ・モジュールであることを決定すること、
をさらに含む、請求項１に記載の方法。
【請求項１１】
前記アイデンティティ・モジュールは、リムーバブル・ユーザ識別モジュール（ＲＵＩＭ）、または、ＣＤＭＡ加入者アイデンティティ・モジュール（ＣＳＩＭ）、のいずれかを含む、ここにおいて、レガシー・アイデンティティ・モジュールは、Ｃ．Ｓ００２３−Ｄ規格との互換性がないＲＵＩＭ、またはＣ．Ｓ００６５−Ａ規格との互換性がないＣＳＩＭを含む、請求項１０に記載の方法。
【請求項１２】
前記１つ以上の内部パラメータは、
ＲＵＩＭのＣＳＴテーブルにおけるｎ１５エレメント、
ＣＳＩＭのＣＳＴテーブルにおけるｎ３５エレメント、または
ＥＦ＿ＳＩＰＵＰＰｅｘｔエレメント、
のうちの少なくとも１つを含む、請求項１に記載の方法。
【請求項１３】
前記ＥＦ＿ＳＩＰＵＰＰｅｘｔエレメントが存在しない場合、または
前記ＥＦ＿ＳＩＰＵＰＰｅｘｔエレメントが適切に構成されない場合、
のうちの少なくとも１つの場合、前記ＥＦ＿ＳＩＰＵＰＰｅｘｔエレメントは、不完全であることを決定することをさらに含む、請求項１２に記載の方法。
【請求項１４】
アイデンティティ・モジュールの１つ以上の内部パラメータに基づいて前記アイデンティティ・モジュールのタイプを決定するための第１のモジュールと、
前記決定された前記タイプのアイデンティティ・モジュールの少なくとも一部に基づいて１つ以上のクレデンシャルを得るための第２のモジュールと、
を含む、下位互換性を提供するように構成される少なくとも１つのプロセッサ。
【請求項１５】
コンピュータに、アイデンティティ・モジュールの１つ以上の内部パラメータに基づいて前記アイデンティティ・モジュールのタイプを決定させるための第１のコードのセットと、
前記コンピュータに、前記決定された前記タイプのアイデンティティ・モジュールの少なくとも一部に基づいて１つ以上のクレデンシャルを得させるための第２のコードのセットと、
を含む、コンピュータ・プログラム。
【請求項１６】
アイデンティティ・モジュールの１つ以上の内部パラメータに基づいて前記アイデンティティ・モジュールのタイプを決定するための手段と、
前記決定された前記タイプのアイデンティティ・モジュールの少なくとも一部に基づいて１つ以上のクレデンシャルを得るための手段と、
を含む、装置。
【請求項１７】
前記アイデンティティ・モジュールにおける変更を検出するための手段と、ここにおいて、前記変更は、前記デバイスに新しいアイデンティティ・モジュールの追加、または、前記デバイスにおける前記アイデンティティ・モジュールの前記タイプを変更すること、のいずれかである、
前記１つ以上の内部パラメータおよび前記１つ以上の得られたクレデンシャルを使用して前記デバイスを可能にするための手段と、
をさらに含む、請求項１６に記載の装置。
【請求項１８】
前記１つ以上の内部パラメータは、サービスの状態、または構成パラメータのうちの少なくとも１つを含む、請求項１６に記載の装置。
【請求項１９】
前記１つ以上のクレデンシャルは、ＯＭＨクレデンシャル、または３Ｇパケット・データ（３ＧＰＤ）クレデンシャルのうちの少なくとも１つを含む、請求項１６に記載の装置。
【請求項２０】
前記アイデンティティ・モジュールは、モバイル国コード（ＭＣＣ）およびモバイル・ネットワーク・コード（ＭＮＣ）を含む、ここにおいて、前記得るための手段は、前記１つ以上のクレデンシャルを決定するために前記ＭＣＣおよびＭＮＣを使用することをさらに含む、請求項１６に記載の装置。
【請求項２１】
前記得るための手段は、
前記１つ以上のクレデンシャルが前記デバイスの不揮発性（ＮＶ）メモリに記憶されていると決定するための手段と、
前記デバイスの前記ＮＶメモリに記憶された前記１つ以上のクレデンシャルにアクセスするための手段と、
をさらに含む、請求項１６に記載の装置。
【請求項２２】
前記得るための手段は、
１つ以上のプロビジョニング・パラメータまたは前記１つ以上のクレデンシャルのうちの少なくとも１つがサーバから利用可能であると決定するための手段と、
前記サーバから前記１つ以上のプロビジョニング・パラメータまたは前記１つ以上のクレデンシャルのうちの前記少なくとも１つにアクセスするための手段と、
をさらに含む、請求項１６に記載の装置。
【請求項２３】
前記得るための手段は、前記アイデンティティ・モジュールの前記１つ以上の内部パラメータに基づいてアプリケーションのための動的プロファイルを得るための手段をさらに含む、ここにおいて、前記動的プロファイルは、前記１つ以上の内部パラメータと異なる１つ以上のパラメータを含む、請求項１６に記載の装置。
【請求項２４】
前記アイデンティティ・モジュールおよび前記得られた１つ以上のクレデンシャルのうちの前記１つ以上の内部パラメータに基づいて仮想認識モジュールを生成するための手段をさらに含む、請求項１６に記載の装置。
【請求項２５】
前記アイデンティティ・モジュールは、前記デバイスに接続されていたことを検出するための手段と、
前記アイデンティティ・モジュールの前記タイプは、レガシー・アイデンティティ・モジュールであることを決定するための手段と、
をさらに含む、請求項１６に記載の装置。
【請求項２６】
前記アイデンティティ・モジュールは、リムーバブル・ユーザ識別モジュール（ＲＵＩＭ）、または、ＣＤＭＡ加入者アイデンティティ・モジュール（ＣＳＩＭ）、のいずれかを含む、ここにおいて、レガシー・アイデンティティ・モジュールは、Ｃ．Ｓ００２３−Ｄ規格と互換性がないＲＵＩＭ、またはＣ．Ｓ００６５−Ａ規格と互換性がないＣＳＩＭを含む、請求項２５に記載の装置。
【請求項２７】
前記１つ以上の内部パラメータは、
ＲＵＩＭのＣＳＴテーブルにおけるｎ１５エレメント、
ＣＳＩＭのＣＳＴテーブルにおけるｎ３５エレメント、または
ＥＦ＿ＳＩＰＵＰＰｅｘｔエレメント、
のうちの少なくとも１つを含む、請求項１６に記載の装置。
【請求項２８】
前記ＥＦ＿ＳＩＰＵＰＰｅｘｔエレメントが存在しない場合、または
前記ＥＦ＿ＳＩＰＵＰＰｅｘｔエレメントが適切に構成されない場合、
のうちの少なくとも１つの場合、前記ＥＦ＿ＳＩＰＵＰＰｅｘｔエレメントは、不完全であることを決定するための手段をさらに含む、請求項２７に記載の装置。
【請求項２９】
アイデンティティ・モジュールの１つ以上の内部パラメータに基づいて前記アイデンティティ・モジュールのタイプを決定し、
前記決定された前記タイプのアイデンティティ・モジュールの少なくとも一部に基づいて１つ以上のクレデンシャルを得る、
ために動作可能な互換性モジュール
を含む、下位互換性を可能にするための装置。
【請求項３０】
前記互換性モジュールは、
前記アイデンティティ・モジュールにおける変更を検出し、ここにおいて、前記変更は、前記デバイスに新しいアイデンティティ・モジュールの追加、または、前記デバイスにおける前記アイデンティティ・モジュールの前記タイプを変更すること、のいずれかである、
前記１つ以上の内部パラメータおよび前記１つ以上の得られたクレデンシャルを使用して前記デバイスを可能にするためにさらに動作可能である、請求項２９に記載の装置。
【請求項３１】
前記１つ以上の内部パラメータは、サービスの状態、または構成パラメータのうちの少なくとも１つを含む、請求項２９に記載の装置。
【請求項３２】
前記１つ以上のクレデンシャルは、ＯＭＨクレデンシャル、または３Ｇパケット・データ（３ＧＰＤ）クレデンシャルのうちの少なくとも１つを含む、請求項２９に記載の装置。
【請求項３３】
前記アイデンティティ・モジュールは、モバイル国コード（ＭＣＣ）およびモバイル・ネットワーク・コード（ＭＮＣ）を含む、ここにおいて、前記互換性モジュールは、前記１つ以上のクレデンシャル決定するために前記ＭＣＣおよびＭＮＣを使用するためにさらに動作可能である、請求項２９に記載の装置。
【請求項３４】
前記互換性モジュールは、
前記１つ以上のクレデンシャルが前記デバイスの不揮発性（ＮＶ）メモリに記憶されていると決定し、
前記デバイスの前記ＮＶメモリに記憶された前記１つ以上のクレデンシャルにアクセスするためにさらに動作可能である、請求項２９に記載の装置。
【請求項３５】
前記互換性モジュールは、
前記１つ以上のプロビジョニング・パラメータまたは前記１つ以上のクレデンシャルのうちの少なくとも１つがサーバから利用可能であると決定し、
前記サーバから前記１つ以上のプロビジョニング・パラメータまたは前記１つ以上のクレデンシャルのうちの前記少なくとも１つにアクセスするためにさらに動作可能である、請求項２９に記載の装置。
【請求項３６】
前記互換性モジュールは、前記アイデンティティ・モジュールの前記１つ以上の内部パラメータに基づいてアプリケーションのための動的プロファイルを得るためにさらに動作可能である、ここにおいて、前記動的プロファイルは、前記１つ以上の内部パラメータと異なる１つ以上のパラメータを含む、請求項２９に記載の装置。
【請求項３７】
前記互換性モジュールは、前記アイデンティティ・モジュールおよび前記得られた１つ以上のクレデンシャルのうちの前記１つ以上の内部パラメータに基づいて仮想認識モジュールを生成するためにさらに動作可能である、請求項２９に記載の装置。
【請求項３８】
前記互換性モジュールは、
前記アイデンティティ・モジュールが前記デバイスに接続されていたことを検出し、
前記アイデンティティ・モジュールの前記タイプがレガシー・アイデンティティ・モジュールであることを決定するためにさらに動作可能である、請求項２９に記載の装置。
【請求項３９】
前記アイデンティティ・モジュールは、リムーバブル・ユーザ識別モジュール（ＲＵＩＭ）、または、ＣＤＭＡ加入者アイデンティティ・モジュール（ＣＳＩＭ）、のいずれかを含み、ここにおいて、レガシー・アイデンティティ・モジュールは、Ｃ．Ｓ００２３−Ｄ規格との互換性がないＲＵＩＭ、またはＣ．Ｓ００６５−Ａ規格との互換性がないＣＳＩＭを含む、請求項３８に記載の装置。
【請求項４０】
前記１つ以上の内部パラメータは、
ＲＵＩＭのＣＳＴテーブルにおけるｎ１５エレメント、
ＣＳＩＭのＣＳＴテーブルにおけるｎ３５エレメント、または
ＥＦ＿ＳＩＰＵＰＰｅｘｔエレメント、
のうちの少なくとも１つを含む、請求項２９に記載の装置。
【請求項４１】
前記互換性モジュールは、
前記ＥＦ＿ＳＩＰＵＰＰｅｘｔエレメントが存在しない場合、または
前記ＥＦ＿ＳＩＰＵＰＰｅｘｔエレメントが適切に構成されない場合、
のうちの少なくとも１つの場合、前記ＥＦ＿ＳＩＰＵＰＰｅｘｔエレメントは、不完全であることを決定するためにさらに動作可能である、請求項４０に記載の装置。
【手続補正２】
【補正対象書類名】明細書
【補正対象項目名】００２８
【補正方法】変更
【補正の内容】
【００２８】
対照的に、参照数字３０２、３０４、または３０６のうちのいずれか１つでエレメントが不完全である、および／または存在しないと決定された場合、その後、参照数字３１０で１つ以上のプロファイルがモバイル機器（ＭＥ）に記憶されているかどうかが決定される。一態様において、複数のプロファイルは、不揮発性メモリに存在することができるＶＣＥＭに記憶されることができる。参照数字３１０で１つ以上の適用可能なプロファイルが通信デバイス・メモリに記憶されているということが決定された場合、その後、参照数字３１２で通信デバイスは記憶されたプロファイルにアクセスし、記憶された構成情報を使用することで動作することができる。別の態様において、通信デバイスは、利用可能である場合、プロファイル（たとえば、プロビジョニング・パラメータ等）をダウンロードするためにリモート・サーバにアクセスし、ダウンロードされた構成情報を使用して動作することができる。対照的に、参照数字３１０で適用可能なプロファイルが通信デバイス・メモリ（たとえば、ＶＣＥＭにおいて）に記憶されていないということが決定された場合、その後、参照数字３１２で通信デバイスはレガシー・モードにおいて動作することができる。
【手続補正３】
【補正対象書類名】明細書
【補正対象項目名】００３９
【補正方法】変更
【補正の内容】
【００３９】
加えて、通信デバイス５００は、ユーザ・インタフェース５４０を含むことができる。ユーザ・インタフェース５４０は、通信デバイス５００の中に入力を生成するための入力機構５４２、および、通信デバイス５００のユーザによる消費のための情報を生成するための出力機構５４４を含むことができる。たとえば、入力機構５４２は、キーまたキーボード、マウス、タッチスクリーン・ディスプレイ、マイクロフォン等のような機構を含むことができる。さらに、たとえば、出力機構５４４は、ディスプレイ、オーディオ・スピーカ、触力覚フィードバック機構（haptic feedback mechanism）、パーソナル・エリア・ネットワーク（ＰＡＮ）トランシーバ等を含むことができる。示される態様において、出力機構５４４は、画像またはビデオ形式においてメディア・コンテンツを表すように動作するディスプレイ、または、オーディオ形式においてメディア・コンテンツを表すオーディオ・スピーカを含むことができる。
【国際調査報告】
2013533664.tif 000010
2013533664.tif 000011